(57)【要約】【課題】着脱が容易で且つ正確な位置決めができ、更に技術レベルに合わせた効果的なパッティング練習ができる練習用パターヘッドの構造とする。【解決手段】フェース面２の上下方向の長さが長くフェース面２のトウ４及びヒール５方向の左右幅が狭い略長方形のヒット面１１を有し、長さ方向端面の左右方向の中心位置に位置合わせ用マーク１５を有し、ヒット面１１の左右幅が異なる複数種の補助ピース１０を備え、各補助ピース１０はフェース面２に着脱可能な接着手段を有する。パターヘッド１には補助ピース１０の左右幅の中心をスイート・スポット８の中心に合わせて固定するための指示マークを備える。補助ピース１０は、位置合わせ用マーク１５を指示マークに合わせて左右方向の位置決めを行い、下端がスイート・エリア９をカバーし、上端がフェース面２の上辺２ａより上側に突出した状態でフェース面２に固定される。【選択図】図２
0003121773.tif 000002
【実用新案登録請求の範囲】
【請求項１】
ゴルフボールをヒットするフェース面を備えたパターヘッドにおける前記フェース面のスイート・スポット位置に、前方に突出したヒット面を有する補助ピースを備えた練習用パターヘッドの構造であって、
前記補助ピースは、フェース面の上下方向に対する長さが長くフェース面のトウ及びヒール方向に対する左右幅が狭い略長方形でフェース面と平行なヒット面を有し、且つ長さ方向の一端が少なくともスイート・エリアをカバーし他端が前記フェース面の上辺より上側に突出する長さを有し、更に、長さ方向端面における左右方向の中心位置に位置合わせのための位置合わせ用マークを有し、接着手段により前記フェース面に着脱可能であり、
更に、前記補助ピースは、ヒット面の左右幅が異なる複数種を備えており、
一方、前記パターヘッドには前記補助ピースの左右幅の中心をフェース面のスイート・スポットの中心に合わせて固定するための指示マークが備えてあり、
前記補助ピースは、前記位置合わせ用マークを前記指示マークに合わせて左右方向の位置決めを行い且つ補助ピースの上端がフェース面の上辺より上側に突出した状態で前記フェース面に固定されることを特徴とする練習用パターヘッドの構造。
【請求項２】
前記各補助ピースは、上側から見たヒット面が前方へ向けて湾曲して突出した湾曲ヒット面を有し、且つ湾曲ヒット面の曲率を変えた複数種を備えていることを特徴とする請求項１に記載の練習用パターヘッドの構造。
【請求項３】
前記補助ピースをフェース面に固定する接着手段は、両面テープであることを特徴とする請求項１又は２に記載の練習用パターヘッドの構造。
【請求項４】
前記補助ピースをフェース面に固定する接着手段は、補助ピースの少なくとも一部に永久磁石を備え、且つ前記パターヘッドの少なくとも一部に、前記補助ピースをフェース面に誘引する磁性部材を備えていることを特徴とする請求項１又は２に記載の練習用パターヘッドの構造。
【請求項５】
前記補助ピースをフェース面に固定する接着手段は、前記パターヘッドの少なくとも一部に永久磁石を備え、且つ補助ピースの少なくとも一部に、前記パターヘッドの永久磁石により前記補助ピースをフェース面に誘引する磁性部材を備えていることを特徴とする請求項１又は２に記載の練習用パターヘッドの構造。
【請求項６】
前記各補助ピースは、固定幅を有してフェース面に固定される固定部と、該固定部の左右幅方向中心と中心が一致し且つ異なる複数の左右幅を有するヒット面を有し、一方、前記パターヘッドのフェース面には、スイート・スポットを左右方向で挟む位置に配置されて前記補助ピースの固定部を位置決めするためのフェース面位置合わせ用マークを有することを特徴とする請求項１〜５のいずれか１つに記載の練習用パターヘッドの構造。
【考案の詳細な説明】
【技術分野】
【０００１】
本考案は練習用パターヘッドの構造に関する。
【背景技術】
【０００２】
ゴルフのパッティングにおいて重要なことは、ストロークの正確性、すなわち目標線とパターのスイート・スポットとが重なる（一致する）ようにストロークすること、及び、スイート・スポットで正確にヒットすることである。
【０００３】
従って、そのためには、正しいアドレス、適切なグリップ、目線、ストロークの方法等の注意事項について常に注意を払いながらパッティング練習を繰返すことが重要である。
【０００４】
世界中のゴルフ指導書、格言集等によると、パッティングの極意は、「集中力」と「パッティング中頭と体を動かすな」、即ち「不動の軸を保つ」ことであり、そのためにしてはいけないことは「目線を動かす」ことである。目線を動かさずにストロークするには「ストローク中ボールから目を離さない」ことが単純ではあるが唯一の方法として知られている。しかし、ストローク中ボールから目を離さないことに練習の間中集中し続けることは意外に難しく、集中が切れていることさえ認識できずに漫然と練習し続けるのが一般的である。
【０００５】
このため、フェース面に補助ピースを取り付け、スイート・エリアの特にスイート・スポット付近でヒットしないと、ゴルフボールが目標線に対して全く異なった方向に転がってしまうようにすると、集中して練習することが促されることによって有効なパッティング練習が行えるようになる。
【０００６】
このようなゴルフ用パターのヘッド構造としては、フェース面におけるスイート・スポットを中心として、フェース面に突出させて設けたスポット盤を備えて、スポット盤でのゴルフボールのヒットを限定するようにしたものがある（例えば、特許文献１等参照）。
【特許文献１】特開２００５−０８７４０６号公報
【考案の開示】
【考案が解決しようとする課題】
【０００７】
しかしながら、特許文献１に示すゴルフ用パターのヘッド構造は、フェース面に、スイート・スポットを中心として突出するスポット盤を備えたものであるが、このスポット盤はフェース面に固定して設けることを前提としたものであり、スポット盤を着脱可能にすることについては考慮されていない。
【０００８】
即ち、スイート・スポット付近を限定する大きさのスポット盤を所要の接着手段を用いてフェース面に固定した場合、スポット盤がフェース面内に収められるために、このスポット盤を手指によって取り外そうとしても取り外すことが困難であり、このため、鋭利な器具を用いて取り外すことも考えられるが、この場合にはフェース面を傷付けてしまうことが考えられる。
【０００９】
一方、特許文献１において、スポット盤のヒット面の大きさが異なるものを複数用意しておき、パッティングの技術レベルが向上したらヒット面が小さいものに取り換えて練習することも考えられるが、フェース面に取り付けるスポット盤が小さくなると、通常パターヘッドの上面に設けられているスイート・スポットの位置を示すマークから遠くなってしまうために、左右の位置合わせが困難になり、更に左右の位置合わせと同時に上下の位置合わせも行う必要があるために、位置合わせの操作が非常に面倒であるという問題がある。また、位置合わせがいい加減になって、スポット盤の取り付け位置がスイート・スポットからずれてしまった場合には、スポット盤を用いてパッティング練習を行う意味が全くなくなってしまう問題がある。
【００１０】
従って、前記特許文献１に示されるスポット盤は、パターヘッドのスイート・スポットに位置合わせして予め固定しておくことを前提としたものであり、パッティングの技術レベルの向上に合わせてヒット面の面積が小さいスポット盤に取り換えることによって更なるパッティング技術の向上を図るようにした技術的構成は考慮されていないものである。
【００１１】
本考案は、上記実情に鑑みてなしたもので、補助ピースの着脱が容易で且つ正確な位置決めが容易にでき、更に技術レベルに合わせて効果的なパッティング練習が可能な練習用パターヘッドの構造を提供することを目的としてなしたものである。
【課題を解決するための手段】
【００１２】
本考案は、ゴルフボールをヒットするフェース面を備えたパターヘッドにおける前記フェース面のスイート・スポット位置に、前方に突出したヒット面を有する補助ピースを備えた練習用パターヘッドの構造であって、
前記補助ピースは、フェース面の上下方向に対する長さが長くフェース面のトウ及びヒール方向に対する左右幅が狭い略長方形でフェース面と平行なヒット面を有し、且つ長さ方向の一端が少なくともスイート・エリアをカバーし他端が前記フェース面の上辺より上側に突出する長さを有し、更に、長さ方向端面における左右方向の中心位置に位置合わせのための位置合わせ用マークを有し、接着手段により前記フェース面に着脱可能であり、
更に、前記補助ピースは、ヒット面の左右幅が異なる複数種を備えており、
一方、前記パターヘッドには前記補助ピースの左右幅の中心をフェース面のスイート・スポットの中心に合わせて固定するための指示マークが備えてあり、
前記補助ピースは、前記位置合わせ用マークを前記指示マークに合わせて左右方向の位置決めを行い且つ補助ピースの上端がフェース面の上辺より上側に突出した状態で前記フェース面に固定されることを特徴とする練習用パターヘッドの構造、に係るものである。
【００１３】
上記練習用パターヘッドの構造において、前記各補助ピースは、上側から見たヒット面が前方へ向けて湾曲して突出した湾曲ヒット面を有し、且つ湾曲ヒット面の曲率を変えた複数種を備えていることは好ましい。
【００１４】
上記練習用パターヘッドの構造において、前記補助ピースをフェース面に固定する接着手段は、両面テープであることは好ましい。
【００１５】
上記練習用パターヘッドの構造において、前記補助ピースをフェース面に固定する接着手段は、補助ピースの少なくとも一部に永久磁石を備え、且つ前記パターヘッドの少なくとも一部に、前記補助ピースをフェース面に誘引する磁性部材を備えていることは好ましい。
【００１６】
上記練習用パターヘッドの構造において、前記補助ピースをフェース面に固定する接着手段は、前記パターヘッドの少なくとも一部に永久磁石を備え、且つ補助ピースの少なくとも一部に、前記パターヘッドの永久磁石により前記補助ピースをフェース面に誘引する磁性部材を備えていることは好ましい。
【００１７】
上記練習用パターヘッドの構造において、前記各補助ピースは、固定幅を有してフェース面に固定される固定部と、該固定部の左右幅方向中心と中心が一致し且つ異なる複数の左右幅を有するヒット面を有し、一方、前記パターヘッドのフェース面には、スイート・スポットを左右方向で挟む位置に配置されて前記補助ピースの固定部を位置決めするためのフェース面位置合わせ用マークを有することは好ましい。
【考案の効果】
【００１８】
本考案の練習用パターヘッドの構造によれば、補助ピースを、パターヘッドに備えられる指示マークに位置合わせ用マークを合わせることでトウ及びヒール方向の位置を位置決めし、且つ補助ピースの上端がフェース面の上辺よりも上側に突出した状態で接着手段によりフェース面に固定するようにしたので、補助ピースの左右幅の中心をスイート・スポットの中心に位置決めしてフェース面に固定する操作が容易になり、更に、補助ピースをフェース面から取り外す際は、補助ピースがフェース面の上辺より上側に突出した突出部をフェース面から離反させる方向に引っ張ることによりテコの原理で容易に取り外すことができる効果がある。
【００１９】
ヒット面の左右幅が狭い補助ピースをフェース面に固定してパッティング練習を行うことにより、集中した練習が自然に行われるようになり、更に、ヒット面の左右幅が異なる補助ピースを、パッティングの技術レベルに合わせて取り換えることによリ、更に効果的なパッティング練習が可能になるという効果を有する。また、パッティングの技術レベルが低い人でも左右幅が狭い補助ピースを用いることによって、ツアープロの卓越した技術と集中力を体験できるという効果がある。
【００２０】
前記湾曲ヒット面の曲率を変えた複数種の補助ピースを備えておき、パッティングの技術レベルに合わせて補助ピースを取り換えることによリ、効果的なパッティング練習が行える効果を有する。
【００２１】
また、補助ピースに備えた位置合わせ用マークをゴルフボールの打撃中心に合わせることにより、パターヘッドのスイート・スポットの中心をゴルフボールの打撃中心に合わせる操作が容易になる効果がある。
【００２２】
更に、前記位置合わせ用マークによって、目線をより正確にゴルフボールの打撃中心に向かわせることができる効果がある。
【００２３】
前記補助ピースを両面テープを用いてフェース面に固定することにより、補助ピースの着脱が容易になる効果がある。
【００２４】
前記補助ピースを永久磁石を利用してパターヘッドのフェース面に固定することにより、フェース面に対する補助ピースの着脱が容易になる効果がある。
【００２５】
前記各補助ピースは、一定幅を有してフェース面に固定される固定部と、該固定部の左右幅方向中心と中心が一致し且つ異なる複数の左右幅を有するヒット面を有し、一方、前記パターヘッドのフェース面には、スイート・スポットを左右方向で挟む位置に配置されて前記補助ピースの固定部を位置決めするためのフェース面位置合わせ用マークを有することにより、補助ピースの左右幅の中心をスイート・スポットの中心に正確に位置決めする操作が更に容易になる効果がある。
【考案を実施するための最良の形態】
【００２６】
以下、本考案の実施の形態を図示例と共に説明する。
【００２７】
図１〜図４は本考案の練習用パターヘッドの構造の形態の一例を示すもので、図１はパターヘッドの平面図、図２はパターヘッドの正面図、図３は補助ピースの平面図である。
【００２８】
図１及び図２に示すパターヘッド１はゴルフボールＢをヒットするフェース面２を有しており、フェース面２の後方にはソール面３ａを延長した薄肉部３が形成してあり、更にパターヘッド１のトウ４側及びヒール５側におけるフェース面２の後方には慣性モーメントを付与するための厚み部６，６が設けられている。更に、前記パターヘッド１のヒール５側には、図示しないシャフトに接続される脚部７が備えられている。
【００２９】
前記パターヘッド１のフェース面２には、インパクト時に最も効果的に力をゴルフボールＢに伝えることができるスイート・スポット８が存在しており、更に、前記したように厚み部６，６を備えて重量バランスをフェース面２のトウ４側とヒール５側に分散させることによって、比較的安定した力をゴルフボールＢに伝えられるように範囲を拡大したスイート・エリア９が形成されている。尚、本考案の練習用パターヘッドの構造は、図示したパターヘッド１の形状に限定されるものではなく、一般に用いられている種々の形状のパターヘッドに適用することができる。
【００３０】
前記フェース面２に対して補助ピース１０を着脱可能に設ける。該補助ピース１０は、フェース面２の上下方向に対する長さが長くフェース面２のトウ４及びヒール５方向に対する左右幅が狭い略長方形のヒット面１１を有している。
【００３１】
前記補助ピース１０は、例えば図３に示す如く広い左右の固定幅Ｈを有する固定部１２に対して、段部１３により左右幅が狭くなって打球の目標線Ｒ前方（図１）へ突出し、前記固定部１２の裏側と平行なヒット面１１を有しており、前記はヒット面１１の左右幅Ｌの広さが異なる複数種を備えている。この時、ヒット面１１の左右幅Ｌの変化に応じて固定部１２の固定幅Ｈが変化してもよく、また、ヒット面１１の左右幅Ｌが変化しても固定部１２の固定幅Ｈは一定にしたものでもよい。尚、固定幅Ｈは、補助ピース１０をフェース面２に固定する際に一定以上の固定強度が保持できるよう、ある程度以上の幅を有しているこのとが好ましい。
【００３２】
前記補助ピース１０は、フェース面２に取り付けた際に、長さ方向の下端がパターヘッド１のソール面３ａから下方に突出することがなく、少なくともスイート・エリア９をカバーした状態で、上端が前記フェース面２の上辺２ａより上方に突出して突出部１４を形成する長さに形成する。通常のパターヘッド１のスイート・スポット８の中心は、一般にソール面３ａから略１５ｍｍ前後の高さにあるため、補助ピース１０は、下端がソール面３ａから５ｍｍ前後の高さ位置にあるときに上端が前記フェース面２の上辺２ａより５ｍｍ前後上方に突出して突出部１４を形成する長さを少なくとも備えていればよい。図２に示す補助ピース１０では、ソール面３ａの直上に下端が位置し、上端がフェース面２の上辺２ａよりも上方に突出する長さとした場合を示している。
【００３３】
更に、前記補助ピース１０の長さ方向一端（上端）の端面における左右の中心位置には、補助ピース１０をフェース面２に取り付ける際の位置決めを行うための位置合わせ用マーク１５を備えている。前記パターヘッド１の上面には、通常、図１に示す如く、スイート・スポット８の中心の延長上の位置を示す指示点１６ａ又は指示線１６ｂからなる指示マーク１６が備えられているため、この指示マーク１６に前記位置合わせ用マーク１５を一致させることにより、補助ピース１０の左右幅の中心をスイート・スポット８の中心に位置合わせし得るようにしている。
【００３４】
図１〜図３に示す位置合わせ用マーク１５は、補助ピース１０の上端面における左右幅の中心位置に、平面形状が三角形を有し且つ１つの頂点がヒット面１１側を向いた凸部１５ａを形成した場合を示している。この凸部１５ａは、三角形の頂点が前記とは逆に後方、即ちパターヘッド１上部の指示マーク１６を向くように形成してもよく、また、位置合わせ用マーク１５は補助ピース１０の厚さ方向に伸びる線状の凸部であってもよく、更には円柱状、四角柱状の凸部であってもよく、その他の種々の形状のものを用いることができる。
【００３５】
また、前記位置合わせ用マーク１５は、前記凸部１５ａを備えることに代えて、図４、図５に示すように補助ピース１０の厚さ方向に伸びる溝形状からなる凹部１５ｂによって形成してもよい。この場合も凹部１５ｂは、丸、三角、四角等の種々の形状のものとすることができる。
【００３６】
前記補助ピース１０は、パタークラブのバランス及びパッティング時のゴルフボールＢの転がりに余り影響を与えない材料であれば種々の材料によって形成することができ、例えば金属、プラスチック、カーボン、セラミック、硬質ゴム等を用いることができ、また補助ピース１０は着脱によって曲ることがない厚さ（強度）を有していることが好ましい。
【００３７】
前記補助ピース１０は、図３に示す如く前記固定部１２の裏面に両面テープ１７による接着手段を備えることによりフェース面２に固定できるようにしている。
【００３８】
図６は前記両面テープ１７による接着手段を備えた補助ピース１０の一例を示したもので、ヒット面１１の左右幅Ｌ１が１０ｍｍの補助ピース１０ａと、ヒット面１１の左右幅Ｌ２が７ｍｍの補助ピース１０ｂと、ヒット面１１の左右幅Ｌ３が５ｍｍの補助ピース１０ｃと、ヒット面１１の左右幅Ｌ４が３ｍｍの補助ピース１０ｄとからなる４種類を１組として、前記両面テープ１７を剥離紙１８等に接着することにより補助ピースセット１９を構成している。この補助ピースセット１９に備える補助ピース１０の数、補助ピース１０に形成するヒット面１１の左右幅は任意に選定することができる。
【００３９】
また、前記両面テープ１７による接着手段に代えて、前記補助ピース１０の全体或は一部を永久磁石で構成し、且つ前記パターヘッド１の全体或は一部を磁性部材で構成することにより、前記補助ピース１０を磁力によってフェース面２に誘引して固定するようにした磁石式の接着手段を備えることができる。
【００４０】
また、上記とは逆に、前記パターヘッド１の全体或は１部を永久磁石で構成し、且つ補助ピース１０の全体或は一部を磁性材料で構成することにより、前記補助ピース１０を磁力によってフェース面２に誘引して固定するようにした磁石式の接着手段としてもよい。
【００４１】
以下に、上記形態の作用を説明する。
【００４２】
本考案の練習用パターヘッドの構造を用いてパッティングの練習を行う際は、先ず、図６に示した補助ピースセット１９から任意の補助ピース１０を選んで剥離紙１８から取り外す。例えばビギナーの場合にはヒット面の左右幅Ｌが最も広いＬ１＝１０ｍｍの補助ピース１０ａを選定することが好ましい。
【００４３】
そして、剥離紙１８から取り外した補助ピース１０ａを、図１、図２に示す如くパターヘッド１のフェース面２に固定する。
【００４４】
この時、補助ピース１０ａを指で摘まんで、補助ピース１０ａの下端がソール面３ａより下方に突出しないように、且つ補助ピース１０ａの位置合わせ用マーク１５がパターヘッド１の上面に備えた指示マーク１６に一致するように位置合わせすると、補助ピース１０ａの上端は前記フェース面２の上辺２ａより上方に突出した突出部１４を形成するので、この状態でヒット面１１を押すことにより、両面テープ１７を介して補助ピース１０ａをフェース面２に固定する。
【００４５】
上記したように、フェース面２に補助ピース１０ａを固定したパターヘッド１を用いてパッティング練習を行うと、前記補助ピース１０ａのヒット面１１の左右幅Ｌ１は１０ｍｍと狭いため、正しいアドレス、適切なグリップ、目線、ストロークの方法等の注意点に十分に注意を払って集中したスイングを行わないと、ゴルフボールＢを補助ピース１０のヒット面１１でヒットすることができず、補助ピース１０のヒット面１１から外れた位置でゴルフボールＢをヒットすると目標線Ｒとは全く異なる方向にゴルフボールＢが転がって失敗する。
【００４６】
この時、図１に示すように、補助ピース１０ａの上端面に備えた位置合わせ用マーク１５をゴルフボールＢの打撃中心Ｓに合わせることにより、パターヘッド１のスイート・スポット８の中心をゴルフボールＢの打撃中心Ｓに正確に合わせる操作が容易になり、且つ目線をより正確にゴルフボールの打撃中心Ｓに向かわせることができるため、目線を打撃中心Ｓに集中させて目線を動かさずにパッティング練習することが自然に行えるようになる。
【００４７】
このため集中したパッティング練習が自然に行われるようになり、よって練習を重ねることによって前記失敗が減少して、バッティングの技術レベルが向上する。尚、一般のビギナーの場合には、前記ヒット面１１の左右幅が１０ｍｍであってもヒット面１１でゴルフボールＢをヒットすることはなかなか難しいため、かなりの練習が必要である。
【００４８】
パッティングのレベルが向上したら、補助ピース１０の交換を行う。補助ピース１０を交換するには、先ず、前記フェース面２に固定された補助ピース１０ａを取り外す。補助ピース１０ａを取り外すには、補助ピース１０ａの突出部１４に指を掛けてフェース面２から離反させる方向に引っ張ることによりテコの原理で容易に取り外すことができる。
【００４９】
続いて、図６に示した補助ピースセット１９からヒット面１１の左右幅Ｌ２が７ｍｍの補助ピース１０ｂを取り外し、前記と同様に位置決めしてフェース面２に固定する。
【００５０】
そして、上記した如くヒット面１１の左右幅Ｌ２が７ｍｍの補助ピース１０ｂを固定したパターヘッド１を用いて、前記と同様にしてパッティング練習を行う。これによりヒット面１１の左右幅が狭くなるためパッティングのレベルは更に向上する。尚、ヒット面１１の左右幅Ｌ２が７ｍｍの補助ピース１０ｂを用いる場合はアベレージクラスの人の練習に適している。
【００５１】
更に、パッティングのレベルが向上したら、フェース面２の補助ピース１０ｂを取り外し、図６に示した補助ピースセット１９からヒット面１１の左右幅Ｌ３が５ｍｍの補助ピース１０ｃを取り外し、前記と同様に位置決めしてフェース面２に固定する。
【００５２】
そして、上記した如くヒット面の左右幅Ｌ３が５ｍｍの補助ピース１０ｃを固定したパターヘッド１を用いて、前記と同様にしてパッティング練習を行う。これによってパッティングのレベルは更に向上する。尚、ヒット面１１の左右幅Ｌ３が５ｍｍの補助ピース１０ｃを用いる場合にはシングルクラスの人の練習に適している。
【００５３】
更に、図６に示した補助ピースセット１９からヒット面１１の左右幅Ｌ４が３ｍｍの補助ピース１０ｄを取り外して、これを前記フェース面２に固定することによりパッティング練習することができる。ヒット面１１の左右幅Ｌ４が３ｍｍのように狭くなるとツアープロクラスでないとクリーンヒットすることはなかなか難しく、よって技術レベルが低い人でもプロの技術レベルを実際に体感することができる。
【００５４】
また、前記補助ピース１０を磁力によってフェース面２に固定する磁石式の接着手段によれば、フェース面２に対する補助ピース１０の着脱操作が更に容易になる。
【００５５】
上記した補助ピース１０は、スイート・エリアの特にスイート・スポット８でのヒットの確率を上げるための単純な練習器具に見えるが、うまく当てようとしてパターヘッド１や指示マーク１６或いは位置合わせ用マーク１５を目で追ってゴルフボールＢから目線が離れるとミスヒットし、また、ゴルフボールＢを見つづける集中が途切れると途端にミスする等「練習者の気づき」によりパッティングにおける重要な「集中力と不動の軸」を養成することができ、よって継続した集中により効果的なパッティング練習が行えるようになる。しかも、技術レベルに応じて補助ピース１０を付け替えることでヒット面１１の左右幅を変えて練習できるため、技術レベルの更なる上達意欲が促され、また、ビギナーでもツアープロの卓越した技術と集中力を体験できるという利点がある。
【００５６】
更に、図７は、前記補助ピース１０を、前記ヒット面の左右幅Ｌを０にした場合を示している。即ち、三角形の位置合わせ用の凸部１５ａの頂点を前方に突出させて尖った形状のヒット線２２を形成している。この補助ピース１０によれば、尖ったヒット線２２で図１のゴルフボールＢの打撃中心Ｓをヒットすることになるため、目線をゴルフボールＢの打撃中心Ｓに集中させ易くなり、よって効果的なパッティング練習が行えるようになる。
【００５７】
図８は本考案の練習用パターヘッドの構造の形態の他の例であり、パターヘッドの正面図である。
【００５８】
図８の形態では、前記パターヘッド１のフェース面２におけるスイート・スポット８をトウ４及びヒール５方向の左右で挟む位置に、前記補助ピース１０の固定位置を指示するフェース面位置合わせ用マーク２０，２１を備えている。このフェース面位置合わせ用マーク２０，２１は点や線等で形成することができる。
【００５９】
更に、この場合に使用する補助ピース１０は、図６に一例を示すように、前記補助ピース１０の固定部１２の固定幅Ｈは一定であり、ヒット面１１の左右幅ＬがＬ１，Ｌ２，Ｌ３，Ｌ４のように異なった補助ピース１０ａ，１０ｂ，１０ｃ，１０ｄを用いる。このとき、固定部１２の固定幅Ｈの中心とヒット面１１の左右幅の中心とは一致している。
【００６０】
図８の形態では、前記補助ピース１０をパターヘッド１のフェース面２に固定する際に、前記フェース面２のフェース面位置合わせ用マーク２０，２１の間に前記補助ピース１０の固定部１２の幅方向端面がちょうど収まるように位置を合わせることによって、補助ピース１０の左右幅の中心を前記スイート・スポット８の中心に正確に位置合わせする操作が容易になる。
【００６１】
図９は、前記補助ピース１０の他の形態を示したものである。図９の補助ピース１０は、前記ヒット面１１が打球の目標線Ｒ前方（図１）へ向けて湾曲して突出する湾曲ヒット面２３を備えた蒲鉾形の補助ピース１０とした場合を示している。この補助ピース１０では、湾曲ヒット面２３の最も突出した部分の上下に伸びる直線によって図１のゴルフボールＢをヒットするようになる。
【００６２】
図９に示したように、湾曲ヒット面２３を備えた補助ピース１０の場合においても、前記湾曲ヒット面２３の曲率が異なったものを複数備えることによって、前記形態と同様にパッティングの難易度を変えることができるので、パッティングの技術レベルに応じて曲率が小さい補助ピース１０から曲率が大きい補助ピース１０に取り換えることによって効果的なパッティング練習を行うことができる。
【００６３】
なお、本考案の練習用パターヘッドの構造は、上記形態にのみ限定されるものではなく、本考案の要旨を逸脱しない範囲内において種々変更を加え得ることは勿論である。
【図面の簡単な説明】
【００６４】
【図１】本考案の練習用パターヘッドの構造の形態の一例を示す平面図である。
【図２】図１の正面図である。
【図３】フェース面と平行なヒット面を有する補助ピースの平面図である。
【図４】補助ピースに備える位置合わせ用マークの他の例を示す正面図である。
【図５】図４の補助ピースの平面図である。
【図６】複数の補助ピースを備えた補助ピースセットの正面図である。
【図７】補助ピースのヒット面の左右幅を０にした場合の斜視図である。
【図８】本考案の練習用パターヘッドの構造の形態の他の例を示す正面図である。
【図９】補助ピースの他の形態を示す斜視図である。
【符号の説明】
【００６５】
１  パターヘッド
２  フェース面
２ａ        上辺
４  トウ
５  ヒール
８  スイート・スポット
１０  補助ピース
１０ａ        補助ピース
１０ｂ        補助ピース
１０ｃ        補助ピース
１０ｄ        補助ピース
１１  ヒット面
１２  固定部
１４  突出部
１５  位置合わせ用マーク
１６  指示マーク
１７  両面テープ（接着手段）
２０，２１    フェース面位置合わせ用マーク
２３  湾曲ヒット面
Ｂ  ゴルフボール
Ｈ    固定幅
Ｌ    左右幅
Ｌ１  左右幅
Ｌ２  左右幅
Ｌ３  左右幅
Ｌ４  左右幅
【図１】
0003121773.tif 000003
【図２】
0003121773.tif 000004
【図３】
0003121773.tif 000005
【図４】
0003121773.tif 000006
【図５】
0003121773.tif 000007
【図６】
0003121773.tif 000008
【図７】
0003121773.tif 000009
【図８】
0003121773.tif 000010
【図９】
0003121773.tif 000011